(57)【要約】      （修正有）【課題】帽子の持ち運びを容易にする簡易な構造を設けることで、帽子本体をコンパクトに持ち運ぶことができ、かつ、帽子の着用時における帽子の審美性を確保することができる帽子を提供する。【解決手段】帽子本体５と、帽子本体の外面に装着され、帽子本体の外側に設けられたループ状部６に挿通される装飾部４と、を備え、装飾部は、帽子を着用せずに持ち運ぶとき、帯状をなし、帽子本体を収束可能である。装飾部には、長手方向の中央又は略中央に装飾固定部を設け、装飾固定部は、帽子本体に固定される。装飾部には、装飾固定部を境界として、一方に第一装飾部を、他方に第二装飾部を設け、装飾部が帯状をなしたときにおける第一装飾部の外面の端部に、係止部を設けるとともに、第二装飾部の帽子本体側の面の端部に、被係止部を設け、係止部及び被係止部は、着脱自在に係止される。【選択図】図１
0003199525.tif 000002
【実用新案登録請求の範囲】
【請求項１】
帽子本体と、前記帽子本体の外面に装着される装飾部と、を備え、
前記装飾部は、帽子を着用せずに持ち運ぶとき、帯状をなし、前記帽子本体を収束可能であることを特徴とする帽子。
【請求項２】
請求項１に記載の帽子であって、
前記装飾部は、帽子本体の外側に設けられたループ状部に挿通されることを特徴とする帽子。
【請求項３】
請求項２に記載の帽子であって、
前記装飾部には、長手方向の中央又は略中央に装飾固定部が設けられ、
前記装飾固定部は、前記帽子本体に固定されていることを特徴とする帽子。
【請求項４】
請求項３に記載の帽子であって、
前記装飾部には、前記装飾固定部を境界として、一方に第一装飾部を、他方に第二装飾部を設け、
前記第一装飾部には、係止部を設け、
前記第二装飾部には、被係止部を設け、
前記係止部及び前記被係止部は、着脱自在に係止されることを特徴とする帽子。
【請求項５】
請求項４に記載の帽子であって、
前記係止部は、前記第一装飾部の端部に設けられるともに、前記被係止部は、前記第二装飾部の端部に設けられていることを特徴とする帽子。
【請求項６】
請求項４又は５に記載の帽子であって、
前記装飾部が帯状をなしたときにおける、前記第一装飾部の外面に係止部を設けるとともに、前記第二装飾部の帽子本体側の面に被係止部を設け、
帽子の着用時においては、前記第一装飾部を前記第二装飾部に向けて折り重ねて、前記係止部及び被係止部を係止し、
帽子の持ち運び時においては、前記第一装飾部を、前記帽子本体の外周に沿って前記装飾固定部の反対側へ移動させ、前記係止部及び被係止部を係止することで、前記帽子本体を収束可能であることを特徴とする帽子。
【考案の詳細な説明】
【技術分野】
【０００１】
本考案は、装身具の一種である帽子に係り、詳しくは、帽子の持ち運び時において帽子の収納を容易にする構造を備えた帽子に関する。
【背景技術】
【０００２】
従来、図６に示すとおり、帽子本体１０５と、前記帽子本体１０５に着脱自在に装着される装飾部１０４と、を備えた帽子１０１が知られている。かかる帽子１０１によれば、帽子１０１を着用する際の気分等により、装飾部１０４を変更することで、外観の印象を変化させることができる。
【先行技術文献】
【特許文献】
【０００３】
【特許文献１】実用新案登録第３１６６４４６号
【考案の概要】
【考案が解決しようとする課題】
【０００４】
しかし、上記構成であっても下記のような課題を有する。
【０００５】
すなわち、前記帽子１０１は、着用者が前記帽子１０１を着用せずに持ち運びするときにおいてコンパクトに収納することができないため、持ち運びが不便である。また、着用者が帽子１０１を袋等に入れて持ち運ぶ場合には、帽子１０１とは別に袋を携帯しなければならないため、荷物が増え、煩に堪えない。さらに、帽子１０１に持ち運びを容易とする構造を設けるとしても、前記構造が複雑であっては、着用者にとって利便性を欠く。加えて、帽子１０１に前記構造を設けることも重要であるが、帽子１０１には、外観に与える印象も大きいという性質も有する。そのため、帽子１０１の着用時における帽子１０１自体の審美性を確保しなければならない。したがって、前記構造を設けるにあたって、帽子１０１の外観は、通常の帽子と変わらないようにする必要がある。
【０００６】
本考案は、以上の点に鑑みてなされたものであり、その技術的課題は、持ち運び時においては、帽子本体を簡易かつコンパクトに持ち運べるようにしつつ、帽子の着用時においては、帽子の審美性を確保することができる帽子を提供することにある。
【課題を解決するための手段】
【０００７】
上述した技術的課題を有効に解決するための手段として、請求項１に記載の考案にあっては、帽子本体と、前記帽子本体の外面に装着される装飾部と、を備え、前記装飾部は、前記帽子を着用せずに持ち運ぶとき、帯状をなし、前記帽子本体を収束可能であることを特徴とする。
【０００８】
請求項２に記載の考案にあっては、請求項１に記載の帽子であって、前記装飾部は、帽子本体の外側に設けられたループ状部に挿通されることを特徴とする。
【０００９】
請求項３に記載の考案にあっては、請求項２に記載の帽子であって、前記装飾部には、長手方向の中央又は略中央に装飾固定部が設けられ、前記装飾固定部は、前記帽子本体に固定されていることを特徴とする。
【００１０】
請求項４に記載の考案にあっては、請求項３に記載の帽子であって、前記装飾部には、前記装飾固定部を境界として、一方に第一装飾部を、他方に第二装飾部を設け、前記第一装飾部には、係止部を設け、前記第二装飾部には、被係止部を設け、前記係止部及び前記被係止部は、着脱自在に係止されることを特徴とする。
【００１１】
請求項５に記載の考案にあっては、請求項４に記載の帽子であって、前記係止部は、前記第一装飾部の端部に設けられるともに、前記被係止部は、前記第二装飾部の端部に設けられていることを特徴とする。
【００１２】
請求項６に記載の考案にあっては、請求項４又は５に記載の帽子であって、前記装飾部が帯状をなしたときにおける、前記第一装飾部の外面に係止部を設けるとともに、前記第二装飾部の帽子本体側の面に被係止部を設け、帽子の着用時においては、前記第一装飾部を前記第二装飾部に向けて折り重ねて、前記係止部及び被係止部を係止し、帽子の持ち運び時においては、前記第一装飾部を、前記帽子本体の外周に沿って前記装飾固定部の反対側へ移動させ、前記係止部及び被係止部を係止することで、前記帽子本体を収束可能であることを特徴とする。
【考案の効果】
【００１３】
以上の通り、本考案の帽子によれば、帽子の持ち運びを容易とする簡易な構造を設けることにより、帽子本体をコンパクトに持ち運ぶことができ、かつ、帽子の着用時における帽子の審美性を確保することができる。
【図面の簡単な説明】
【００１４】
【図１】本考案の実施例に係る帽子の側面（側頭部側）図である。
【図２】本考案の実施例に係る帽子の平面（頂頭部側）図である。
【図３】本考案の実施例に係る帽子における装飾部の正面図である。
【図４】本考案の実施例に係る帽子における装飾部の動作を示す図である。
【図５】本考案の実施例に係る帽子における装飾部が帽子本体を収束した状態を示す図である。
【図６】従来技術に係る帽子における装飾部の着脱時の動作を示す図である。
【考案を実施するための形態】
【００１５】
以下において、本考案の実施に係る帽子１の実施例について図面に基づき詳細に説明する。なお、本実施例により本考案が限定されるものではない。
【００１６】
まず、本考案の実施例に係る帽子１について図１及び図２に基づいて説明する。図１は、本考案の実施例に係る帽子１の側面（側頭部側）図であり、図２は、本考案の実施例に係る帽子１の平面（頂頭部側）図である。
【００１７】
すなわち、実施例に係る帽子１は、クラウン部２及び前記クラウン部２の開口端部（図示せず）にツバ部３を有する帽子本体５と、前記クラウン部２の周縁部に装着される装飾部４と、を備える。
【００１８】
帽子本体５は、着用者の頭部を覆うクラウン部２を備える。前記クラウン部２は、図面下端に開口端部を有し、かかる開口端部に頭部を入れることで、着用者は、帽子１を着用する。
【００１９】
また、前記帽子本体５は、着用者の頭部を日光から保護する等の観点から、前記クラウン部２の開口端部にツバ部３を設ける。前記ツバ部３は、前記クラウン部２の開口端部から突出し、前記クラウン部２の全周にわたり設けられる。なお、前記ツバ部３は、前記クラウン部２の開口端部から円周上一部に設けられてもよい。また、前記クラウン部２が突出する方向は、帽子１の形状等に応じて適宜変更される。
【００２０】
帽子本体５は、クラウン部２及びツバ部３ともに柔らかな布地によって縫製される。したがって、前記帽子１は、変形し易くなるため、装飾部４は、帽子本体５をコンパクトに収束し、収納することができる。なお、前記クラウン部２及び前記ツバ部３は、一体として縫製される限りにおいて、一枚布で縫製されてもよく、また、複数枚の布で縫製されても良い。
【００２１】
次に、実施例に係る帽子１の装飾部４について、図３に基いて説明する。図３は、本考案の実施例に係る帽子１における装飾部４の正面図である。
【００２２】
すなわち、前記装飾部４は、扁平で横長の帯状を形成する。また、前記装飾部４には、長手方向の中央又は略中央に装飾固定部４ａが形成される。かかる装飾固定部４ａが、前記帽子本体５に縫製されることにより、前記装飾部４は、前記帽子本体５に固定される。これにより、装飾部４は、帽子１を装飾する役割を備える。さらに、前記装飾部４は、前記装飾固定部４ａを境界として、一方に第一装飾部４ｂを、他方に第二装飾部４ｃを設ける。なお、前記第一装飾部４ｂ及び前記第二装飾部４ｃは、一体として縫製される限りにおいて、一枚布で縫製されてもよく、複数枚の布で縫製されても良い。また、前記装飾固定部４ａにおける境界のいずれかに前記第一装飾部４ｂ又は前記第二装飾部４ｃを設けるか、さらに、前記第一装飾部４ｂと前記第二装飾部４ｃとが前記装飾部４を占める割合は、特に限定されない。
【００２３】
また、装飾部４が帯状をなしたときにおける第一装飾部４ｂの外面の端部には、係止部７が縫製される。さらに、装飾部４が帯状をなしたときにおける第二装飾部４ｃの帽子本体５側の面の端部には、被係止部８が縫製される。かかる係止部７及び被係止部８が係止されることにより前記第一装飾部４ｂ及び前記第二装飾部４ｃは、着脱自在に係止される。なお、前記係止部７及び前記被係止部８としては、スナップボタン、面ファスナ、ホック等といった前記第一装飾部４ｂと前記第二装飾部４ｃとを係止することができるものが挙げられる。加えて、前記第一装飾部４ｂと前記第二装飾部４ｃとのいずれかに、前記係止部７及び前記被係止部８が設けられるかは、特に限定されない。
【００２４】
さらに、図１に示すとおり、帽子本体５の外面には、前記装飾部４を挿通するための孔を備えたループ状部６が縫製される。ここで、前記孔に、前記装飾部４が挿通されることにより、図１においては、第一装飾部４ｂ及び第二装飾部４ｃを保持し、前記装飾部４の形状がリボン状となる。このため、前記ループ状部６は、前記装飾部４を前記帽子本体５に保持する機能も兼ねる。また、前記装飾部４の形状等は、前記装飾部４が挿通される前記ループ状部６の孔により変化するため、持ち運び時における前記装飾部４の形状は必ずしも審美的なものであることを要しない。なお、前記ループ状部６は、クラウン部２及びツバ部３のいずれかに縫製するかは、特に限定されない。さらに、ループ状部６の形状等は、装飾部４の形状等に応じて、形状、大きさ、数が適宜変更される。
【００２５】
以下において、本実施例に係る帽子１の着用時における装飾部４の状態を図１に基いて説明する。
【００２６】
すなわち、帽子１における装飾部４は、帽子本体５に縫製されたループ状部６に挿通される。ここで、前記第一装飾部４ｂは、前記第二装飾部４ｃの外面に向けて折り重ねられる。その後、前記係止部７及び前記被係止部８が係止されることにより、前記第一装飾部４ｂと前記第二装飾部４ｃとが係止される。前記係止部７及び前記被係止部８が係止されることにより、例えば、帽子の着用時に、前記第一装飾部４ｂ又は第二装飾部４ｃの位置がずれ、前記装飾部４の形が崩れることを防止することができる。加えて、上記の通り、前記係止部７は、前記第一装飾部４ｂの外面に縫製され、前記被係止部８は、前記第二装飾部４ｃの帽子本体５側の面に縫製される。したがって、前記係止部７及び前記被係止部８の係止時においては、前記係止部７及び前記被係止部８は、前記第一装飾部４ｂにおける帽子本体５側の面に覆われるため、帽子１の外観は、通常の帽子となんら変わらない。
【００２７】
次に、本考案の実施例に係る帽子１における装飾部４が帽子本体５を収束するまでの状態を図１、図４、及び図５に基いて説明する。図４は、本考案の実施例に係る帽子１における装飾部４の動作を示す図であり、図５は、本考案の実施例に係る帽子１における装飾部４が帽子本体５を収束した状態を示す図である。
【００２８】
まず、前記装飾部４は、図１に示すとおり、前記第一装飾部４ｂ及び前記第二装飾部４ｃが前記係止部７及び前記被係止部８によって係止され、帽子本体５に設けられたループ状部６における孔に挿通されることにより、帽子本体５に保持されている。次に、前記係止部７と前記被係止部８との係止状態を解除することで、第一装飾部４ｂと第二装飾部４ｃとの係止状態が解除される。その後、少なくとも、第一装飾部４ｂを前記孔から前記装飾固定部４ａの反対側へ引張する。これにより、本実施例に係る帽子１は、図４に示す状態となる。さらに、第一装飾部４ｂを前記帽子本体５の外周に沿って前記装飾固定部４ａの反対側へ移動させ、前記係止部７及び前記被係止部８を係止する。これにより、本実施例に係る帽子１は、図５に示す状態となる。したがって、前記装飾部４が前記帽子本体５を収束し、前記帽子本体５をコンパクトに収納することができる。また、前記装飾部４は、前記係止部７及び前記被係止部８により係止されるため、持ち運び中に、帽子本体５が勝手に広がってしまうこともない。なお、本実施例に係る帽子１は、前記第一装飾部４ｂを前記ループ状部６の孔から引張し、帽子本体５を収束する構成としているが、前記第一装飾部４ｂ及び前記第二装飾部４ｃを前記ループ状部６の孔から引張する構成としてもよい。この場合、上記動作に加え、前記第二装飾部４ｃも前記装飾固定部４ａ側へ引張し、第二装飾部４ｃを前記帽子本体５の外周に沿って前記装飾固定部４ａの反対側へ移動させ、前記係止部７及び前記被係止部８を係止することを要する。
【００２９】
なお、装飾部４が帽子本体５を収束した状態から、装飾部を前記帽子１の着用時の状態にする際の手順は、上述した装飾部４を前記帽子本体５へ収束する際の手順と逆の動作を行えばよい。
【００３０】
以上により、本実施例に係る帽子１は、以下の点につき有用である。
第一に、持ち運び時に前記帽子１を装飾部４により収束することができるため、帽子１をコンパクトに収納することができ、帽子１の持ち運びが容易である。
第二に、着用者が帽子１を持ち運ぶ場合には、装飾として帽子に装着された装飾部４により帽子本体５を収束することができるため、別途袋等を持ち運ぶ必要はない。また、前記装飾部４は、帽子本体５に縫製される構成としているため、装飾部４を紛失するといった事態が生じない。
第三に、帽子１に設けた持ち運びを容易にする構造としては、装飾部４における第一装飾部４ｂを帽子本体５の外周に沿って前記装飾固定部４ａの反対側へ移動させ、係止部７及び被係止部８を係止することで、帽子本体５を収束するのみである。したがって、帽子１を収納する前記構造は、着用者に対して負担を強いるものではない。
第四に、前記係止部７及び前記被係止部８は、前記第一装飾部４ｂ及び前記第二装飾部４ｃの端部に設けられているため、前記装飾部４は、前記帽子本体５を収束する際の長さを多く取ることができる。
第五に、帽子１の着用時においては、前記係止部７及び前記被係止部８は、前記第一装飾部４ｂの帽子本体５側の面に覆われる。したがって、本実施例にかかる帽子１の外観は、通常の帽子となんら変わらず、帽子１自体の審美性も確保することができる。
【００３１】
本考案の帽子１に係る利用分野その他の実施例としては、以下の態様が挙げれる。
帽子１に、ウール生地、ポリエステル生地、撥水性生地、遮光芯、天然素材、抗菌・防臭生地を使用する。
また、帽子１に、ＵＶ加工を施す。
さらに、帽子１の表面と裏面との模様、色彩等が異なるリバーシブル機能を持たせる。
加えて、装飾部４の形状を、リボン形、花形、ベルト形、果物形、動物形、ハート形、星形とする。
【符号の説明】
【００３２】
１    帽子
２    クラウン部
３    ツバ部
４    装飾部
４ａ  装飾固定部
４ｂ  第一装飾部
４ｃ  第二装飾部
５    帽子本体
６    ループ状部
７    係止部
８    被係止部
【図１】
0003199525.tif 000003
【図２】
0003199525.tif 000004
【図３】
0003199525.tif 000005
【図４】
0003199525.tif 000006
【図５】
0003199525.tif 000007
【図６】
0003199525.tif 000008